(57)【要約】【課題】  使用者の握力を必要としないで取手にしっかりと装着することができるとともに、取手のサイズの異なる調理器具の取手に容易に装着可能な調理器具用取手カバーを提供する。【解決手段】  調理器具用取手カバー１は、シリコン樹脂を主体とする素材から一体的に形成される略長方形状のシート２と、シート２の長手方向のどちらか一方の側部から延設された帯状体７、７と、帯状体７、７の先端側に形成された差込部８、８と、差込部８、８を差し込んで固定し得る前記シート表面３からシート裏面４まで貫通して形成された開孔部９、９と、を有する。【選択図】  図１
2018130452.tif 000002
【特許請求の範囲】
【請求項１】
シリコン樹脂を主体とする素材から一体的に形成される略方形状のシートと、該シートのどちらか一方の側部から延設された帯状体と、該帯状体の先端側に形成された差込部と、前記差込部を差し込んで固定し得る前記シートに形成された開孔部と、からなることを特徴とする調理器具用取手カバー。
【請求項２】
シート側部の帯状体付近に凹部を有することを特徴とする請求項１記載の調理器具用取手部カバー。
【請求項３】
シートから突出する支持面と、該支持面から前記シート表面側に立設された立設片と、からなる保持部を有することを特徴とする請求項１記載の調理器具用取手カバー。 
【発明の詳細な説明】
【技術分野】
【０００１】
本発明は、フライパンや鍋等の調理器具の取手に装着する調理器具用取手カバーに関する。
【背景技術】
【０００２】
従来、フライパンや鍋等の調理器具を掴むこと、又は、食器等を拭くこと、に使用する布製の布巾に比べて、耐熱性及び耐汚性に優れたシリコンシートからなる調理器具用つかみ具が提案されている（例えば、特許文献１ないし３参照）。
【先行技術文献】
【特許文献】
【０００３】
【特許文献１】特開平１１−８９７３３号公報
【特許文献２】特開２０１１−１１０３１０号公報（特許第４９４８５８８号）
【特許文献３】特開２０１５−３６１０９号公報
【発明の概要】
【発明が解決しようとする課題】
【０００４】
しかしながら、上記特許文献に記載された発明は、使用者の握力によって取手に巻きつけた状態を維持するものや、取手に貼り付けて固定するものである。そのため、取手に加えて調理器具用つかみ具の厚さ分が増え、握力の小さい使用者が調理器具で調理等の操作をすると、調理器具の取手から手が滑ってしまう恐れがあった。
【０００５】
したがって、本発明は、使用者の握力を必要としないで取手にしっかりと装着することができるとともに、取手のサイズの異なる調理器具の取手に容易に装着可能な調理器具用取手カバーを提供することを目的とする。
【課題を解決するための手段】
【０００６】
上記課題に鑑み、本発明の調理器具用取手カバーは、シリコン樹脂を主体とする素材から一体的に形成される略方形状のシートと、該シートのどちらか一方の側部から延設された帯状体と、該帯状体の先端側に形成された差込部と、前記差込部を差し込んで固定し得る前記シートに形成された開孔部と、からなることを特徴とする。
【０００７】
また、上述した構成に加え、シート側部の帯状体付近に凹部を有することが好ましい。
【０００８】
また、上述した構成に加え、シートから突出する支持面と、該支持面から前記シート表面側に立設された立設片と、からなる保持部を有することが好ましい。
【発明の効果】
【０００９】
請求項１記載の発明によれば、フライパンや鍋等の取手にシートを巻き付けた状態を帯状体で固定して装着することができる調理器具用取手カバーを提供することが可能である。
【００１０】
請求項２記載の発明によれば、シートの両側部に複数の丸みを帯びた凹部を帯状体付近に設けることで、最も締め付けが強くなる凹部に指を掛けることできるため、使用者がしっかりと調理器具の取手を握ることができるとともに、調理器具用取手カバーを取手より着脱する際に外しやすくすることが可能である。
【００１１】
請求項３記載の発明によれば、保持部の支持面、及び、立設片によって、取手上に菜箸や玉杓子等を保持することが可能である。
【図面の簡単な説明】
【００１２】
【図１】本発明の実施形態に係る調理器具用取手カバーを示す斜視図である。
【図２】図１に示した調理器具用取手カバーの正面図である。
【図３】図１に示した調理器具用取手カバー背面図である。
【図４】図１に示した調理器具用取手カバーをフライパンの取手に装着し、菜箸を保持した状態を示す斜視図及び保持部周辺の拡大平面図である。
【図５】図４のA−A線断面図である。
【発明を実施するための形態】
【００１３】
本発明の実施形態について図に基づいて詳細に説明する。
【００１４】
(実施形態)
調理器具用取手カバー１は、シリコン樹脂を主体とする素材から一体的に形成される略長方形状のシート２と、シート２の長手方向のどちらか一方の側部から延設された２つの帯状体７、７と、帯状体７、７の先端側に形成された差込部８、８と、差込部８、８を差し込んで固定し得る前記シート表面３からシート裏面４まで貫通して形成された開孔部９、９と、から構成されるものである。
【００１５】
シート２は、よこ幅１００mm、たて幅１４０mm、厚み３mmの略長方形状の板体で形成され、シート２の両側部に複数の丸みを帯びた凹部５、５が帯状体７、７付近と、その反対側の側部と、に設けられている。この凹部５、５を設けることによって、調理器具用取手カバー１を取手１７に巻き付けた状態において、凹部５、５に指を掛けることできるため、使用者がしっかりと調理器具１６の取手１７を握ることができるとともに、調理器具用取手カバー１を取手１７より着脱する際に外しやすくすることが可能である。
【００１６】
また、図３に示すように、シート裏面４にシート２のたて幅方向に沿って筋状の複数の溝６、６を形成しておくことで、シート２は、シート裏面４側を内周面としてシート２を略筒状に丸めて変形しやすくするともに、シート裏面４と取手１７との摩擦を大きくしてしっかりと装着することができる。
【００１７】
２つの帯状体７、７は、一方のシート２の側部の凹部５、５付近から５０mm程度の長さで一体的に延出して、その先端を広くした差込部８、８が形成されるものである。この帯体７、７の差込部８、８を、開孔部９、９に差し込んでシート２を略筒状に丸めて変形した状態に固定した後、調理器具用取手カバー１を取手１７に装着する。また、この開孔部９、９は、よこ幅方向にかけて複数設けることで、調理器具用取手カバー１を取手１７に巻き付ける略筒状の径を段階的に調整可能にすることが好ましい。
【００１８】
また、この帯状体７、７は、少なくとも２つ以上をシート２の側部に設けることで、取手１７の径が基端側から先端側に掛けて徐々に細くなっていくような一定の径を有しない取手１７にも容易に装着することができる。
【００１９】
シート２の下部側の中央付近に係止片１０を延設し、この係止片１０に開孔部１１を有していることが好ましい。この係止片１０を台所のフック等に係止することで、調理器具用取手カバー１を保管することができる。
【００２０】
また、シート２は、フライパン１６で調理する場合に使用される菜箸１８を取手１７上に保持するため、シート２の上部にシート２から突出するように一体的に延設された略三角形状の支持面１３、１３と、支持面１３、１３よりシート表面３側に略垂直上方に１０mm程度で立設した略柱状体（図１―５では、底面を直角三角形とした三角柱状体）の立設片１４、１４を２つ形成し、立設片１４、１４の両側面１５、１５が対向するように１５mm程度離間して配置してなる保持部１２を有することが好ましい。この保持部１２によって、菜箸１８、玉杓子等を取手１７上に載置する際に、保持部１２の支持面１３、１３、及び、立設片１４、１４の側面１５、１５によって保持することが可能である。
【００２１】
また、図５に示すように、保持部１２は、シート２の変形したシート表面３の曲率に応じて逆ハの字状に立設片１４、１４が拡がることで、取手１７の径と同等以上の径を有する菜箸１８を取手１７上に保持することが可能である。
【００２２】
したがって、上述した構成から、フライパン１６の取手１７の径に合わせた略筒状のシート２を取手１７に装着することができるとともに、シート２を装着した取手１７上に菜箸１８等を保持することができる調理器具用取手カバー１を提供することが可能である。
【符号の説明】
【００２３】
１…調理器具用取手カバー、２…シート、３…シート表面、４…シート裏面、５…凹部、６…溝、７…帯状体、８…差込部、９…開孔部、１０…係止片、１１…開孔部、１２…保持部、１３…支持面、１４…立設片、１５…側面、１６…フライパン、１７…取手、１８…菜箸
【図１】
2018130452.tif 000003
【図２】
2018130452.tif 000004
【図３】
2018130452.tif 000005
【図４】
2018130452.tif 000006
【図５】
2018130452.tif 000007